(57)【要約】      （修正有）【課題】包装容積が有効的に減少できるブラインド構造を提供する。【解決手段】ブラインド構造は、上レール１０と、少なくとも一つのスライドユニット２０と、複数のスラット３０とを含む。該上レールの少なくとも二つのハンガーレール１１は内と外が嵌め合う方式で組み合わせてなるため、該ブラインドは製作包装において、該ハンガーレールはもう一つのハンガーレール内部に完全に入れられ、上レールの体積が大幅に低減できる。また二つのハンガーレールは垂直ガイドレール１１３によって滑車ベース２５の滑車セットがスライドして位置移動される。内と外が嵌め合う二つのハンガーレールの間は、垂直ガイドレールは高低差を生じないため、滑車セットがスライドして位置移動するスムーズさが向上される。ブラインド構造のスライドユニットは各スライドベースにそれぞれ滑車ベースが設けられ、これらの滑車ベースにある滑車セットと位置限定ベース２４は同じ直線に位置でき、また上レールのチャンネル開口１１２内に取り付けられる。【選択図】図２
0003226735.tif 000002
【実用新案登録請求の範囲】
【請求項１】
上レールと、少なくとも一つのスライドユニットと、複数のスラットとを含むブラインド構造であって、
上記上レールは内と外を嵌め合う方式で少なくとも二つのハンガーレールがあり、上記ハンガーレール内部に中空チャンネルが設けられ、また上記中空チャンネル底部を貫通してチャンネル開口が設けられ、上記チャンネル開口の両端は内へ折り曲げられて二つの垂直ガイドレールが設けられ、上記上レールの両端にそれぞれ位置決めカバーと引き紐カバーが固設され、上記位置決めカバー内部に水平に収容チャンネルが設けられ、上記収容チャンネルの上、下端面は対称的に位置決め凹溝が設けられ、上記収容チャンネルに水平にリールを入れ、また上記位置決め凹溝を利用して上記リールを制限して位置決めし、上記引き紐カバー内部は二つの垂直仕切り板によって垂直する二つの収容チャンネルが決められ、また上記引き紐カバーの底部が対応する二つの収容チャンネルはそれぞれ貫通チャンネルが設けられ、さらに二つの貫通チャンネルの間に結合部が突設され、上記収容チャンネルにはそれぞれ巻き取りローラーが入れられ、また心軸が横方向へ上記引き紐カバーを貫通することで、上記巻き取りローラーを栓接して固定され、また上記リールと二つの巻き取りローラーの間に引き紐が設けられ、上記引き紐の一端はさらに上記引き紐カバーの貫通チャンネルを通して下へ垂れ、上記引き紐カバーを上レールの一端に固設される時、上記結合部は上記チャンネル開口内に合致され、また上記結合部によって止め金とボルトを合わせて上記上レールと締め付けて密接し、
上記少なくとも一つのスライドユニットは、複数の互いに平行設置するスライドベースがあり、上記スライドベースの両側面にそれぞれ位置決めチャンネルと位置限定チャンネルが設けられ、上記スライドベースの頂端はすべて連接リブ板が設けられ、底端にはスラットチャンネルが設けられ、上記位置決めチャンネルの末端にすべてスライドブロックが設けられ、上記スライドブロックの厚みは上記位置決めチャンネルの深さを超え、上記スライドブロックは別のスライドベースの位置限定チャンネル内にスライドして設置され、上記位置限定チャンネルの前端に緩衝弾性片がある位置限定ブロックが固設され、上記スライドブロックを阻止制限し、上記位置限定ブロックの末端は回旋作動できる開合ストップブロックが枢設され、上記連接リブ板は各スライドベースの配列順番に対応してすべて少なくとも一つの孔位置が設けられ、その中、最後順位に配列されるスライドベースは二つの孔位置と二つの位置限定ベースが設けられ、そのほかの各スライドベースは上記孔位置を利用して順番に滑車ベースが設けられ、上記滑車ベースは各滑車ベースの配列位置によって順番に徐々に狭くなる滑車支柱体が設けられ、さらに該滑車支柱体によって少なくとも一つの滑車セットが取り付けられ、その中、第一順位のスライドベースに複数の孔位置が設けられることで、上記滑車ベースの固定位置を変更するためであり、上記滑車ベースに二つの滑車セットが設けられ、二つの滑車セットの間に貫通孔が設けられることで、上記引き紐が結んだり牽引したりするためであり、これによって、上記スライドユニットの各スライドベースが収納状態に呈する時、上記滑車ベースと滑車セットは同じ直線に位置して互いに当て、また最後順位のスライドベースにある一つの位置限定ベースによって最後の第二順位のスライドベースの滑車ベースに当てて制限し、最後は上述スライドベースを利用して上記滑車ベースがスライドして上記上レールの中空チャンネル内に組み入れられ、また上記滑車ベースの各滑車セットが上記垂直ガイドレールに沿って位置移動し、最後順位のスライドベースは二つの位置限定ベースがそれぞれ止め金とボルトを合わせて上記上レールの垂直ガイドレールと締め付けて密接し、
複数のスラットは、上記スラットの上、下両端はそれぞれ押さえリブ部が設けられ、その中、上端の押さえリブ部はこれらスライドベースのスラットチャンネル内に穿設し、下端の押さえリブ部はそれぞれ下レールを嵌めて設け、上記下レールはＵ字型を呈して内部に穿設チャンネルが形成され、また外部の両側はそれぞれ当て辺が形成され、上記当て辺の頂端はすべて上述穿設チャンネル内に向けて折り曲げて二つの位置限定ガイド板が設けられ、上記位置限定ガイド板は徐々に中央へ集中して傾斜状に形成され、また上記当て辺は少し外へ拡張され、上記位置限定ガイド板の末端はすべて折り曲げてストップ部が設けられ、最後は上記下レールの両端にそれぞれ外蓋が組み立てられることを特徴とするブラインド構造。
【請求項２】
上記スライドブロックの外端にそれぞれ二つ互いに対称する位置限定羽が設けられ、上記位置限定羽によって上記スライドベースの位置限定チャンネルが接続制限され、また上記スライドブロックはさらに下へストップ片を延伸して上記スラットチャンネルの一端が阻止されることを特徴とする請求項１のブラインド構造。
【請求項３】
上記位置限定ブロックの末端は柱体が設けられ、上記位置限定チャンネルの外へ突設され、上記開合ストップブロックと枢設されることを特徴とする請求項１のブラインド構造。
【考案の詳細な説明】
【技術分野】
【０００１】
本考案はカーテン構造に関し、特に包装体積を減少させると同時に実用性を向上できるブラインド構造に関する。
【背景技術】
【０００２】
従来のブラインド構造について、図２２に合わせて参照されたい。該ブラインド４０は支持ベース４１と、該支持ベース４１に間隔的に並んで設置される複数のレール４２（図には３個を示す）と、レール４２ごとにそれぞれ設置されるスラットハンガー４３と、これらのスラットハンガー４３の上端にはすべて二つの滑車セット４３１があり、そして該二つの滑車セット４３１によってレール４２内に取り付けられ、各該スラットハンガー４３にそれぞれ設置されるスラット４４と、該支持ベース４１に設置され、そしてスラットハンガー４３の一つを連動して移動させるロープ４５とを含む。その中、該等しいスラットハンガー４３にはそれぞれ互い違いに複数の位置限定ブロック４３２が設置され、各滑動ベース１３間における移動を位置限定するためである。
【０００３】
上述のような従来構造をよく見ると不足する部分がまだ存在していて、主な原因は以下である。従来のブラインド構造のスラットハンガー４３は滑車セット４３１によって該支持ベース４１のレール４２内にスライドして取り付けられるため、該支持ベース４１のレール４２は滑車セット４３１のサイズに合わせてレール径の幅を大きくしなければならないことで該支持ベース４１の製作コスト及び包装する容積の増加に繋がると同時に、組み立てと取り付けの困難度を上げてしまい、実に改良する必要がある。
【０００４】
このほか、別の従来ブラインド構造は、伸縮調整できる上レールと合わせるであり、図２３から図２５に合わせて参照されたい。該上レール５０は内レール５１と外レール５２を含み、該内レール５１と外レール５２はそれぞれ中空チャンネル５１１、５２１が形成され、さらに該チャンネルの底部を貫通してチャンネル開口５１２、５２２が設けられ、また該チャンネル開口５１２、５２２の両端は水平状に二つのガイドレール５１３、５２３が設けられることで、スラットがある滑車５３がスライドして位置移動し、ブラインドの開閉を達する。
【０００５】
しかし、上述従来の上レール５０構造は該内レール５１と外レール５２が互いに嵌め合って組み合わせるため、ガイドレール５１３、５２３の間は互いに重なり合うことで、内レール５１と外レール５２が接続する所は高低差が生じる。このため、滑車５３は内レール５１と外レール５２の間に位置移動する時、ガイドレール５１３、５２３が形成した落差によってスライドするスムーズ度を影響するため、構造使用上の不便になるだけでなく、騒音も生じることで、改良する必要がある。
【０００６】
従って、本考案者は長年にわたって関係商品の製造開発と設計をした経験により、上述の目標について、詳しく設計をして慎重に評価した結果、実用性に満ちた本考案を得た。
【考案の概要】
【考案が解決しようとする課題】
【０００７】
従来技術に存在する上述の欠点について解決し、ブラインド構造を提供する。
【課題を解決するための手段】
【０００８】
本考案のブラインド構造は、上レールは内と外を嵌め合う方式で少なくとも二つのハンガーレールがある。上述ハンガーレール内部に中空チャンネルが設けられ、また該中空チャンネル底部を貫通してチャンネル開口が設けられ、該チャンネル開口両端は内へ折り曲げられて二つの垂直ガイドレールが設けられ、該上レールの両端にそれぞれ位置決めカバーと引き紐カバーが固設される。該位置決めカバー内部に水平に収容チャンネルが設けられ、該収容チャンネルの上、下端面は対称的に位置決め凹溝が設けられる。上述収容チャンネルに水平にリールを入れ、また上述位置決め凹溝を利用して該リールを制限して位置決めする。該引き紐カバー内部は二つの垂直仕切り板によって垂直する二つの収容チャンネルが決められ、また該引き紐カバーの底部が対応する二つの収容チャンネルはそれぞれ貫通チャンネルが設けられ、さらに二つの貫通チャンネルの間に結合部が突設される。上述収容チャンネルにはそれぞれ巻き取りローラーが入れられ、また心軸が横方向へ該引き紐カバーを貫通することで、上述巻き取りローラーを栓接して固定される。また該リールと二つの巻き取りローラーの間に引き紐が設けられ、該引き紐の一端はさらに該引き紐カバーの貫通チャンネルを通して下へ垂らす。該引き紐カバーを上レールの一端に固設される時、上述結合部は該チャンネル開口内に合致され、また該結合部によって止め金とボルトを合わせて該上レールと締め付けて密接する。少なくとも一つのスライドユニットは、該スライドユニットは複数の互いに平行設置するスライドベースがある。上述スライドベースの両側面にそれぞれ位置決めチャンネルと位置限定チャンネルが設けられ、上述スライドベースの頂端はすべて連接リブ板が設けられ、底端にはスラットチャンネルが設けられる。上述位置決めチャンネルの末端にすべてスライドブロックが設けられ、該スライドブロックの厚みは該位置決めチャンネルの深さを超え、該スライドブロックは別のスライドベースの位置限定チャンネル内にスライドして設置される。上述位置限定チャンネルの前端に緩衝弾性片がある位置限定ブロックが固設され、上述スライドブロックを阻止制限する。上述位置限定ブロックの末端は回旋作動できる開合ストップブロックが枢設される。上述連接リブ板は各スライドベースの配列順番に対応してすべて少なくとも一つの孔位置が設けられ、その中、最後順位に配列されるスライドベースは二つの孔位置と二つの位置限定ベースが設けられる。そのほかの各スライドベースは上述孔位置を利用して順番に滑車ベースが設けられ、上述滑車ベースは各滑車ベースの配列位置によって順番に徐々に狭くなる滑車支柱体が設けられる。さらに該滑車支柱体によって少なくとも一つの滑車セットが取り付けられ、その中、第一順位のスライドベースに複数の孔位置が設けられることで、該滑車ベースの固定位置を変更するためである。該滑車ベースに二つの滑車セットが設けられ、二つの滑車セットの間に貫通孔が設けられることで、該引き紐が結んだり牽引したりするためである。これによって、上述スライドユニットの各スライドベースが収納状態に呈する時、上述滑車ベースと滑車セットは同じ直線に位置して互いに当て、また最後順位のスライドベースにある一つの位置限定ベースによって最後の第二順位のスライドベースの滑車ベースに当てて制限する。最後は上述スライドベースを利用して上述滑車ベースがスライドして該上レールの中空チャンネル内に組み入れられ、また上述滑車ベースの各滑車セットが該垂直ガイドレールに沿って位置移動する。最後順位のスライドベースは二つの位置限定ベースがそれぞれ止め金とボルトを合わせて該上レールの垂直ガイドレールと締め付けて密接する。複数のスラットは、上述スラットの上、下両端はそれぞれ押さえリブ部が設けられ、その中、上端の押さえリブ部はこれらスライドベースのスラットチャンネル内に穿設し、下端の押さえリブ部はそれぞれ下レールを嵌めて設け、上述下レールはＵ字型を呈して内部に穿設チャンネルが形成され、また外部の両側はそれぞれ当て辺が形成され、上述当て辺の頂端はすべて上述穿設チャンネル内に向けて折り曲げて二つの位置限定ガイド板が設けられ、上述位置限定ガイド板は徐々に中央へ集中して傾斜状に形成され、また上述当て辺は少し外へ拡張される。上述位置限定ガイド板の末端はすべて折り曲げてストップ部が設けられ、最後は上述下レールの両端にそれぞれ外蓋が組み立てられる。
【０００９】
上述スライドブロックの外端にそれぞれ二つ互いに対称する位置限定羽が設けられ、該位置限定羽によって上述スライドベースの位置限定チャンネルが接続制限され、また上述スライドブロックはさらに下へストップ片を延伸して該スラットチャンネルの一端が阻止される。
【００１０】
該位置限定ブロックの末端は柱体が設けられ、該位置限定チャンネルの外へ突設され、上述開合ストップブロックと枢設される。
【００１１】
従来技術の効果に照らし合わせると、（一）該ブラインド構造のスライドユニットは各スライドベースにそれぞれ滑車ベースが設けられ、またこれらの滑車ベースは各スライドベースの併合順位に対応してそれぞれ長さが異なる滑車支柱体が設けられるため、これらの滑車ベースにある滑車セットと位置限定ベースは同じ直線に位置でき、また上レールのチャンネル開口内に取り付けられることで、該上レールがスライドユニットと合わせる体積とサイズが大幅に低減でき、包装容積が有効的に減少できる。
【００１２】
（二）次に、該上レールの少なくとも二つのハンガーレールは内と外が嵌め合う方式で組み合わせてなるため、該ブラインドは製作包装において、該ハンガーレールはもう一つのハンガーレール内部に完全に入れられ、上レールの体積が大幅に低減できるため、包装と運送コストが減らせられる。また二つのハンガーレールは垂直ガイドレールによって滑車ベースの滑車セットがスライドして位置移動される。内と外が嵌め合う二つのハンガーレールの間は、上述垂直ガイドレールは高低差を生じないため、滑車セットがスライドして位置移動するスムーズさを向上させ、騒音の発生と故障の頻度を減らし、実用性を有する。
【００１３】
（三）このほか、該スライドユニットは第一順位のスライドベースは複数の孔位置によって該滑車ベース２５の固定位置を変更するため、該スライドベースと該位置決めカバーのストップ位置は調整できることで、第一順位のスライドベースが外へ延伸できるため、スラットの遮蔽面積を増やせる効果を奏する。一方、最後順位のスライドベースは位置限定ベースと上レールにおける固定位置の変更によって、最後順位のスライドベースは外へ延伸でき、スラットの遮蔽面積を増やせる効果を奏する。これによって、上レールのサイズが限られた状況において、スライドベースの使用位置を調整することによって、より優れた使用状態を得られ、構造の実用性を大幅に向上する。
【図面の簡単な説明】
【００１４】
【図１】図１は、本考案に係るブラインド構造を示す立体図である。
【図２】図２は、本考案に係るブラインド構造を示す分解図である。
【図３】図３は、本考案の位置決めカバーの拡大を示す図である。
【図４】図４は、本考案の引き紐カバースラットの拡大を示す図である。
【図５】図５は、本考案のスライドユニットの分解図である。
【図６】図６は、本考案のスライドユニットの組合せ断面図である。
【図７】図７は、本考案のスライドユニットを引っ張り出して作動する断面図である。
【図８】図８は、本考案のスライドユニットは上レールと組み合わせる断面図である。
【図９】図９は、本考案の滑車ベースが上レールに沿ってスライドすることを示す図である。
【図１０】図１０は、本考案が図９Ａ−Ａラインに対応した断面図である。
【図１１】図１１は、本考案のスライドユニットは上レールと組み合わせる別の角度の断面図である。
【図１２】図１２は、本考案が図１１Ｂ−Ｂラインに対応した断面図である。
【図１３】図１３は、本考案のスラットの押さえリブと下レールを示す図である。
【図１３Ａ】図１３Ａは、本考案のスラット押さえリブの局部拡大図である。
【図１３Ｂ】図１３Ｂは、本考案のスラット下レールの局部拡大図である。
【図１４】図１４は、本考案の下レールがスラット下端の押さえリブに嵌め入れる断面図である。
【図１５】図１５は、本考案の下レールは外蓋に嵌め入れて位置決めする断面図である。
【図１６】図１６は、本考案のスラットは上端押さえリブによってスラットチャンネル内に穿設されることを示す図である。
【図１７】図１７は、本考案のスラットは上端押さえリブによってスラットチャンネルに穿設される立体図である。
【図１８】図１８は、本考案のスラットは開合ストップブロックによって制限されることを示す図である。
【図１９】図１９は、本考案のスラットは開合ストップブロックによって制限される立体図である。
【図２０】図２０は、本考案の展開状態を示す図である。
【図２１】図２１は、本考案が滑車ベースの位置を調整した後の展開状態を示す図である。
【図２２】図２２は、従来技術を示す図である。
【図２３】図２３は、従来の伸縮上レールの分解図である。
【図２４】図２４は、従来の伸縮上レールの応用断面図である。
【図２５】図２５は、従来技術で図２４Ｃ−Ｃラインに対応した断面図である。
【考案を実施するための形態】
【００１５】
まず、図１と図２を参照されたい。本考案のブラインド構造は、上レール１０と、少なくとも一つのスライドユニット２０と、複数のスラット３０とを含む。
【００１６】
図２、図３と図４を参照されたい。上レール１０は内と外を嵌め合う方式で少なくとも二つのハンガーレール１１がある。上述ハンガーレール１１内部に中空チャンネル１１１が設けられ、また該中空チャンネル１１１底部を貫通してチャンネル開口１１２が設けられ、該チャンネル開口１１２両端は内へ折り曲げられて二つの垂直ガイドレール１１３が設けられ、該上レール１０の両端にそれぞれ位置決めカバー１２と引き紐カバー１３が固設される。該位置決めカバー１２内部に水平に収容チャンネル１２１が設けられ、該収容チャンネル１２１の上、下端面は対称的に位置決め凹チャンネル１２２が設けられる。上述収容チャンネル１２１に水平にリール１４を入れ、また上述位置決め凹チャンネル１２２を利用して該リール１４を制限して位置決めする。該引き紐カバー１３内部は二つの垂直仕切り板１３１によって垂直する二つの収容チャンネル１３２が決められ、また該引き紐カバー１３の底部が対応する二つの収容チャンネル１３２はそれぞれ貫通チャンネル１３３が設けられ、さらに二つの貫通チャンネル１３３の間に結合部１３４が突設される。上述収容チャンネル１３２にはそれぞれ巻き取りローラー１５が入れられ、また心軸１５１が横方向へ該引き紐カバー１３を貫通することで、上述巻き取りローラー１５を栓接して固定される。また該リール１４と二つの巻き取りローラー１５の間に引き紐１６が設けられ、該引き紐１６の一端はさらに該引き紐カバー１３の貫通チャンネル１３３を通して下へ垂らす。該引き紐カバー１３を上レール１０の一端に固設される時、上述結合部１３４は該チャンネル開口１１２内に合致され、また該結合部１３４によって止め金１３５とボルト１３６を合わせて該上レール１０と締め付けて密接する。
【００１７】
図５から図１２を参照されたい。上述スライドユニット２０は複数の互いに平行設置するスライドベース２１がある。上述スライドベース２１の両側面にそれぞれ位置決めチャンネル２１１と位置限定チャンネル２１２が設けられ、上述スライドベース２１の頂端はすべて連接リブ板２１３が設けられ、底端にはスラットチャンネル２１４が設けられる。上述位置決めチャンネル２１１の末端にすべてスライドブロック２２が設けられ、該スライドブロック２２の厚みは該位置決めチャンネル２１１の深さを超え、外端にそれぞれ二つ互いに対称する位置限定羽２２１が設けられ、また該スライドブロック２２は別のスライドベース２１の位置限定チャンネル２１２内にスライドして設置され、さらに該位置限定羽２２１と上述位置限定チャンネル２１２と接続制限し、上述スライドブロック２２はさらに下へストップ片２２２を延伸して該スラットチャンネル２１４の一端を阻止する。上述位置限定チャンネル２１２の前端に緩衝弾性片２３１がある位置限定ブロック２３が固設され、上述スライドブロック２２を阻止制限する。上述位置限定ブロックの末端は柱体２３２が設けられ、該位置限定チャンネル２１２の外へ突設され、回旋作動できる開合ストップブロック２３３を枢設して、該スラットチャンネル２１４のもう一端を阻止する。上述連接リブ板２１３は各スライドベース２１の配列順番に対応してすべて少なくとも一つの孔位置２１５が設けられ、その中、最後順位に配列されるスライドベース２１は二つの孔位置２１５と二つの位置限定ベース２４が設けられる。そのほかの各スライドベース２１は上述孔位置２１５を利用して順番に滑車ベース２５が設けられ、上述滑車ベース２５は各滑車ベース２１の配列位置によって順番に徐々に狭くなる滑車支柱体２５１が設けられる。さらに該滑車支柱体２５１によって少なくとも一つの滑車セット２５２が取り付けられ、その中、第一順位のスライドベース２１に複数の孔位置２１５が設けられることで、該滑車ベース２５の固定位置を変更するためである。該滑車ベース２５に二つの滑車セット２５２が設けられ、二つの滑車セット２５２の間に貫通孔２５３が設けられることで、該引き紐１６が結んだり牽引したりするためである。これによって、上述スライドユニット２０の各スライドベース２１が収納状態に呈する時、上述滑車ベース２５と滑車セット２５２は同じ直線に位置して互いに当て、図２に示されるように、最後順位のスライドベース２１にある一つの位置限定ベース２４によって最後の第二順位のスライドベース２１の滑車ベース２５に当てて制限する。最後は上述スライドベース２１を上述位置限定ベース２４と上述滑車ベース２５がスライドして該上レール１０の中空チャンネル１１１内に組み入れられ、また上述滑車ベース２５の各滑車セット２５２が該垂直ガイドレール１１３に沿って位置移動する。最後順位のスライドベース２１は二つの位置限定ベース２４がそれぞれ止め金２４１とボルト２４２を合わせて該上レール１０の垂直ガイドレール１１３と締め付けて密接する。
【００１８】
図１３から図１９を参照されたい。上述スラット３０の上、下両端はそれぞれ押さえリブ部３１、３２が設けられ、その中、上端の押さえリブ部３１はこれらスライドベース２１のスラットチャンネル２１４内に穿設し、下端の押さえリブ部３２はそれぞれ下レール３３を嵌めて設け、上述下レール３３はＵ字型を呈して内部に穿設チャンネル３３１が形成され、また外部の両側はそれぞれ当て辺３３２が形成され、上述当て辺３３２の頂端はすべて上述穿設チャンネル３３１内に向けて折り曲げて二つの位置限定ガイド板３３３が設けられ、上述位置限定ガイド板３３３は徐々に中央へ集中して傾斜状に形成され、また上述当て辺３３２は少し外へ拡張される。上述位置限定ガイド板３３３の末端はすべて折り曲げてストップ部３３４が設けられ、最後は上述下レール３３の両端にそれぞれ外蓋３４が組み立てられる。
【００１９】
構造の組み立ては、上述図１から図１９をまとめると、上述上レール１０の複数のハンガーレール１１の間は内と外が嵌め合う方式で組み立てられるため、該上レール１０は窓の大きさによって二つのハンガーレール１１を最もいい長さを伸縮調整できる。該スライドユニット２０の各スライドベース２１はそれぞれ該位置決めチャンネル２１１の一端のスライドブロック２２を利用し、別の該スライドベース２１の位置限定チャンネル２１２内にスライドして設けられ、また上述位置限定チャンネル２１２の前端に該ストップブロック２３が固設され、これらのスライドベース２１はそれぞれ位置限定ベース２４と滑車ベース２５によって該上レール１０と取り付けられる。該位置限定ベース２４と各滑車ベース２５の滑車セット２５２は同じ直線に位置し、また該上レール１０の中空チャンネル１１１内に組み入れられる。上述位置限定ベース２４は相対的にチャンネル開口１１２の下方に当てて、また止め金２４１を二つの垂直ガイドレール１１３の上端にそれぞれ覆い、最後はボルト２４２を位置限定ベース２４に通して該止め金２４１と締め付けて密接させることで、該最後順位のスライドベース２１を上レール１０に制限して位置決めする。上述滑車セット２５２はチャンネル開口１１２の二つ垂直ガイドレール１１３の上端にまたぎ、該引き紐１６は該位置決めカバー１２のリール１４と該引き紐カバー１３の巻き取りローラー１５の間に引っ張られ、また該引き紐１６の両端を第一順位のスライドベース２１にある滑車ベース２５の貫通孔２５３に固定し、最後は該位置決めカバー１２と引き紐カバー１３をそれぞれ該上レール１０の両端に取り付ける。さらに該引き紐カバー１３は結合部１３４によって止め金１３５とボルト１３６と合わせて該上レール１０のチャンネル開口１１２に密接して固定し、また該引き紐１６を該引き紐カバー１３の貫通チャンネル１３３より垂らすことで、使用者が引っ張ることによって該スライドユニット２０が連動開閉される。各スライドベース２１のスラットチャンネル２１４内にそれぞれスラット３０を設け、上述スラット３０は上端の押さえリブ部３１によってスラットチャンネル２１４内に穿設し、各スライドベース２１の両端にあるストップ片２２２と開合ストップブロック２３３によって該スラット３０をスラットチャンネル２１４内に制限する。上述スラット３０の下端にある押さえリブ部３２はそれぞれ下レール３３を嵌め、上述下レール３３は押さえリブ部３２の外に嵌め、また該押さえリブ部３２を該穿設チャンネル３３１と二つの位置限定ガイド板３３３の間に制限され、さらに外蓋３４をそれぞれ各下レール３３の両端につける。該外蓋３４の内壁が該下レール３３の外側端にある当て辺３３２を押さえつけることで、該外蓋３４と下レール３３の間は互いに当てて固定すると同時に、二つの位置限定ガイド板３３３を内縮集中させ、また末端にあるストップ部３３４によって上述押さえリブ部３２の頂端に当て、該下レール３３をスラット３０の下端に確実に制限固定される。これによって、各スラット３０の取り付けを完成し、ブラインド構造が構成される。
【００２０】
構造実際の使用状態は、引き続き図１、図５、図６と図２０を参照されたい。該ブラインド構造は上レール１０によって窓、掃い出し窓など予めにある平面に取り付けられ、室内の調光使用に当たる。スラット３０は収納状態になる時、これらのスラット３０は該スライドユニット２０のスライドベース２１の位置移動によって上レール１０の一側端に収まり、これらのスライドベース２１は互いに平行し、同時にこれらのスラット３０を帯同して重ねる。これらのスラット３０を展開して遮光使用する時、引き紐１６を引っ張って作動させ、また該スライドユニット２０を第一順位のスライドベース２１において垂直ガイドレール１１３に沿って位置移動して引っ張り出し、また該スライドベース２１を引っ張り出すと同時に、位置決めチャンネル２１１の末端にあるスライドブロック２２は別のスライドベース２１の位置限定チャンネル２１２に沿って前端のストップブロック２３に当てることで、別のスライドベース２１を帯同して位置移動する。これによって、各スライドベース２１が順番にチャンネル開口１１２に沿ってスライドして出て、最後順位のスライドベース２１は位置限定ベース２４が上レール１０に密接して固定されるため、引っ張れ出されることなく、該スライドユニット２０はこれらのスラット３０を帯同して該上レール１０に完全展開状態に呈し、室内遮光の効果を奏する。
【００２１】
反対に、展開したスラット３０を回収して透光する時、該引き紐１６を反対方向へ引っ張り、第一順位のスライドベース２１を上レール１０の垂直ガイドレール１１３に沿って元位置に移動する。該スライドベース２１が反対方向にスライドする時、再び滑車ベース２５によって別のスライドベース２１上方の滑車ベース２５に当てさせることで、別のスライドベース２１を押して移動させ、図１６に示されるように、これによって各スライドベース２１を順番に元位置に戻せ、各スラット３０が集中収納状態になり、室内の光調節の目的に達せる。
【００２２】
さらに、該スライドユニット２０の第一順位のスライドベース２１は上端の連接リブ板２１３にそれぞれ複数の孔位置２１５が設けられ、滑車ベース２５が位置移動して調整するためである。該第一順位のスライドベース２１は再び展開して位置移動する時は滑車ベース２５によって該位置決めカバー１２に当てて位置決めするため、滑車ベース２５の固定位置は連接リブ板２１３の中央方向へ調整する時、同時に図２０、図２１を参照されたい。該滑車ベース２５と位置決めカバー１２の距離が増えると、該スライドベース２１の展開移動は該上レール１０の範囲外に突き出すため、ブラインドを展開する時の遮蔽面積が増えられる。ブラインドが増加した遮蔽面積の差は図２０、図２１に示されるＹのように、該位置限定ベース２４と上レール１０の固定位置が外端に近付ける時、該最後順位のスライドベース２１部分は上レール１０の外に突き出すことで、ブラインド全体が遮蔽できる面積を延伸し、ブラインドが増加した遮蔽面積の差は図１１に示されるＸのように、上レール１０のサイズが限られる時でも最もいい遮蔽効果を奏する。
【００２３】
上述の具体的な実施例の構造によって、以下の効果が得られる。（一）該ブラインド構造のスライドユニット２０は各スライドベース２１にそれぞれ滑車ベース２５が設けられ、またこれらの滑車ベース２５は各スライドベース２１の併合順位に対応してそれぞれ長さが異なる滑車支柱体２５１が設けられるため、これらの滑車ベース２５にある滑車セット２５２と位置限定ベース２４は同じ直線に位置でき、また上レール１０のチャンネル開口１１２内に取り付けられることで、該上レール１０がスライドユニット２０と合わせる体積とサイズが大幅に低減でき、包装容積が有効的に減少できる。
【００２４】
（二）次に、該上レール１０の少なくとも二つのハンガーレール１１は内と外が嵌め合う方式で組み合わせてなるため、該ブラインドは製作包装において、該ハンガーレール１１はもう一つのハンガーレール１１内部に完全に入れられ、上レール１０の体積が大幅に低減できるため、包装と運送コストが減らせられる。また二つのハンガーレール１１は垂直ガイドレール１１３によって滑車ベース２５の滑車セット２５２がスライドして位置移動される。内と外が嵌め合う二つのハンガーレール１１の間は、上述垂直ガイドレール１１３は高低差を生じないため、滑車セット２５２がスライドして位置移動するスムーズさを向上させ、騒音の発生と故障の頻度を減らし、実用性を有する。
【００２５】
（三）このほか、該スライドユニット２０は第一順位のスライドベース２１は複数の孔位置によって該滑車ベース２５の固定位置を変更するため、該スライドベース２１と該位置決めカバー１２のストップ位置は調整できることで、第一順位のスライドベース２１が外へ延伸できるため、スラット３０の遮蔽面積を増やせる効果を奏する。一方、最後順位のスライドベース２１は位置限定ベース２４と上レール１０における固定位置の変更によって、最後順位のスライドベース２１は外へ延伸でき、スラットの遮蔽面積を増やせる効果を奏する。これによって、上レール１０のサイズが限られた状況において、スライドベース２１の使用位置を調整することによって、より優れた使用状態を得られ、構造の実用性を大幅に向上する。
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００２６】
１０        上レール
１１        ハンガーレール
１１１      中空チャンネル
１１２      チャンネル開口
１１３      垂直ガイドレール
１２        位置決めカバー
１２１      収容チャンネル
１２２      位置決め凹チャンネル
１３        引き紐カバー
１３１      垂直仕切り板
１３２      収容チャンネル
１３３      貫通チャンネル
１３４      結合部
１３５      止め金
１３６      ボルト
１４        リール
１５        巻き取りローラー
１５１      心軸
１６        引き紐
２０        スライドユニット
２１        スライドベース
２１１      位置決めチャンネル
２１２      位置限定チャンネル
２１３      連接リブ板
２１４      スラットチャンネル
２１５      孔位置
２２        スライドブロック
２２１      位置限定羽
２２２      ストップ片
２３        位置限定ブロック
２３１      緩衝弾性片
２３２      柱体
２３３      開合ストップブロック
２４        位置限定ベース
２４１      止め金
２４２      ボルト
２５        滑車ベース
２５１      滑車支柱体
２５２      滑車セット
２５３      貫通孔
３０        スラット
３１        押さえリブ部
３２        押さえリブ部
３３        下レール
３３１      穿設チャンネル
３３２      当て辺
３３３      位置限定ガイド板
３３４      ストップ部
３４        外蓋
［従来］
４０        スラット
４１        支持ベース
４２        レール
４３        スラットハンガー
４３１      滑車セット
４３２      位置限定ブロック
４４        スラット
４５        引き紐
５０        上レール
５１        内レール
５１１      チャンネル
５１２      チャンネル開口
５１３      ガイドレール
５２        外レール
５２１      チャンネル
５２２      チャンネル開口
５２３      ガイドレール
５３        滑車
【図１】
0003226735.tif 000003
【図２】
0003226735.tif 000004
【図３】
0003226735.tif 000005
【図４】
0003226735.tif 000006
【図５】
0003226735.tif 000007
【図６】
0003226735.tif 000008
【図７】
0003226735.tif 000009
【図８】
0003226735.tif 000010
【図９】
0003226735.tif 000011
【図１０】
0003226735.tif 000012
【図１１】
0003226735.tif 000013
【図１２】
0003226735.tif 000014
【図１３】
0003226735.tif 000015
【図１３Ａ】
0003226735.tif 000016
【図１３Ｂ】
0003226735.tif 000017
【図１４】
0003226735.tif 000018
【図１５】
0003226735.tif 000019
【図１６】
0003226735.tif 000020
【図１７】
0003226735.tif 000021
【図１８】
0003226735.tif 000022
【図１９】
0003226735.tif 000023
【図２０】
0003226735.tif 000024
【図２１】
0003226735.tif 000025
【図２２】
0003226735.tif 000026
【図２３】
0003226735.tif 000027
【図２４】
0003226735.tif 000028
【図２５】
0003226735.tif 000029
【手続補正書】
【提出日】令和2年3月24日(2020.3.24)
【手続補正１】
【補正対象書類名】実用新案登録請求の範囲
【補正対象項目名】全文
【補正方法】変更
【補正の内容】
【実用新案登録請求の範囲】
【請求項１】
上レールと、少なくとも一つのスライドユニットと、複数のスラットとを含むブラインド構造であって、
上記上レールは内と外を嵌め合う方式で少なくとも二つのハンガーレールがあり、上記ハンガーレール内部に中空チャンネルが設けられ、また上記中空チャンネル底部を貫通してチャンネル開口が設けられ、上記チャンネル開口の両端は内へ折り曲げられて二つの垂直ガイドレールが設けられ、上記上レールの両端にそれぞれ位置決めカバーと引き紐カバーが固設され、上記位置決めカバー内部に水平に収容チャンネルが設けられ、上記収容チャンネルの上、下端面は対称的に位置決め凹溝が設けられ、上記収容チャンネルに水平にリールを入れ、また上記位置決め凹溝を利用して上記リールを制限して位置決めし、上記引き紐カバー内部は二つの垂直仕切り板によって垂直する二つの収容チャンネルが決められ、また上記引き紐カバーの底部が対応する二つの収容チャンネルはそれぞれ貫通チャンネルが設けられ、さらに二つの貫通チャンネルの間に結合部が突設され、上記収容チャンネルにはそれぞれ巻き取りローラーが入れられ、また心軸が横方向へ上記引き紐カバーを貫通することで、上記巻き取りローラーを栓接して固定され、また上記リールと二つの巻き取りローラーの間に引き紐が設けられ、上記引き紐の一端はさらに上記引き紐カバーの貫通チャンネルを通して下へ垂れ、上記引き紐カバーを上レールの一端に固設される時、上記結合部は上記チャンネル開口内に合致され、また上記結合部によって止め金とボルトを合わせて上記上レールと締め付けて密接し、
上記少なくとも一つのスライドユニットは、複数の互いに平行設置するスライドベースがあり、上記スライドベースの両側面にそれぞれ位置決めチャンネルと位置限定チャンネルが設けられ、上記スライドベースの頂端はすべて連接リブ板が設けられ、底端にはスラットチャンネルが設けられ、上記位置決めチャンネルの末端にすべてスライドブロックが設けられ、上記スライドブロックの厚みは上記位置決めチャンネルの深さを超え、上記スライドブロックは別のスライドベースの位置限定チャンネル内にスライドして設置され、上記位置限定チャンネルの前端に緩衝弾性片がある位置限定ブロックが固設され、上記スライドブロックを阻止制限し、上記位置限定ブロックの末端は回旋作動できる開合ストップブロックが枢設され、上記連接リブ板は各スライドベースの配列順番に対応してすべて少なくとも一つの孔位置が設けられ、最後順位に配列されるスライドベースは二つの孔位置と二つの位置限定ベースが設けられ、そのほかの各スライドベースは上記孔位置を利用して順番に滑車ベースが設けられ、上記滑車ベースは各滑車ベースの配列位置によって順番に徐々に狭くなる滑車支柱体が設けられ、さらに該滑車支柱体によって少なくとも一つの滑車セットが取り付けられ、第一順位のスライドベースに複数の孔位置が設けられることで、上記滑車ベースの固定位置を変更するためであり、上記滑車ベースに二つの滑車セットが設けられ、二つの滑車セットの間に貫通孔が設けられることで、上記引き紐が結んだり牽引したりするためであり、これによって、上記スライドユニットの各スライドベースが収納状態に呈する時、上記滑車ベースと滑車セットは同じ直線に位置して互いに当て、また最後順位のスライドベースにある一つの位置限定ベースによって最後の第二順位のスライドベースの滑車ベースに当てて制限し、最後は上述スライドベースを利用して上記滑車ベースがスライドして上記上レールの中空チャンネル内に組み入れられ、また上記滑車ベースの各滑車セットが上記垂直ガイドレールに沿って位置移動し、最後順位のスライドベースは二つの位置限定ベースがそれぞれ止め金とボルトを合わせて上記上レールの垂直ガイドレールと締め付けて密接し、
複数のスラットは、上記スラットの上、下両端はそれぞれ押さえリブ部が設けられ、上端の押さえリブ部はこれらスライドベースのスラットチャンネル内に穿設し、下端の押さえリブ部はそれぞれ下レールを嵌めて設け、上記下レールはＵ字型を呈して内部に穿設チャンネルが形成され、また外部の両側はそれぞれ当て辺が形成され、上記当て辺の頂端はすべて上述穿設チャンネル内に向けて折り曲げて二つの位置限定ガイド板が設けられ、上記位置限定ガイド板は徐々に中央へ集中して傾斜状に形成され、また上記当て辺は少し外へ拡張され、上記位置限定ガイド板の末端はすべて折り曲げてストップ部が設けられ、最後は上記下レールの両端にそれぞれ外蓋が組み立てられることを特徴とするブラインド構造。
【請求項２】
上記スライドブロックの外端にそれぞれ二つ互いに対称する位置限定羽が設けられ、上記位置限定羽によって上記スライドベースの位置限定チャンネルが接続制限され、また上記スライドブロックはさらに下へストップ片を延伸して上記スラットチャンネルの一端が阻止されることを特徴とする請求項１のブラインド構造。
【請求項３】
上記位置限定ブロックの末端は柱体が設けられ、上記位置限定チャンネルの外へ突設され、上記開合ストップブロックと枢設されることを特徴とする請求項１のブラインド構造。